(57)【要約】【課題】外殻体の少なくとも一部を繊維強化樹脂で形成したヘッド本体を有するゴルフクラブヘッドの慣性モーメントの増大を図ると共に、強度向上を図ることのできるゴルフクラブヘッドを提供すること【解決手段】外殻体の少なくとも一部を繊維強化樹脂で形成したヘッド本体１２を有するゴルフクラブヘッド１０であって、前記外殻体の繊維強化樹脂で形成された部分は、金属被覆繊維５８を有する強化繊維に樹脂を含浸して形成された調整層５４を有し、この調整層の金属被覆繊維を外部から視認可能としたゴルフクラブヘッド。【選択図】      図４
2005185577.tif 000002
【特許請求の範囲】
【請求項１】
外殻体の少なくとも一部を繊維強化樹脂で形成したヘッド本体を有するゴルフクラブヘッドであって、
前記外殻体の繊維強化樹脂で形成された部分は、金属被覆繊維を有する強化繊維に樹脂を含浸して形成された調整層を有し、この調整層の金属被覆繊維を外部から視認可能としたことを特徴とするゴルフクラブヘッド。
【請求項２】
前記強化繊維は、経方向繊維と緯方向繊維とを有する織布状に形成される請求項１に記載のゴルフクラブヘッド。
【請求項３】
経方向繊維と緯方向繊維との少なくとも一方が、金属被覆繊維と金属を被覆してない繊維とからなる強化繊維束を有する請求項２に記載のゴルフクラブヘッド。
【請求項４】
前記金属被覆繊維は、ガラス繊維に金属を被覆して形成される請求項１から３のいずれか１つに記載のゴルフクラブヘッド。
【請求項５】
前記強化繊維は、金属被覆繊維よりも、金属を被覆してない繊維を多く有する請求項１から４のいずれか１つに記載のゴルフクラブヘッド。
【発明の詳細な説明】
【技術分野】
【０００１】
本発明は、外殻体の少なくとも一部を繊維強化樹脂で形成したヘッド本体を有するゴルフクラブヘッドに関する。
【背景技術】
【０００２】
ヘッド本体に繊維強化樹脂（ＦＲＰ）を用いた種々のゴルフクラブヘッドが開発されている。このようなゴルフクラブヘッドには、ＦＲＰの外殻構造からなるヘッド本体の外周表面に、メッキ、蒸着あるいは接着等により金属膜層を形成し、外殻の肉厚方向の質量の分布中心を外側に移行し、ヘッド本体の慣性モーメントを大きくすると共に、耐磨耗性を向上させたものがある（例えば特許文献１参照）。
【０００３】
また、所定形状に裁断した所要枚数の炭素繊維織布強化プリプレグをメス型の内面に積層し、最外層にチタンフィルムを配置し、この型を合わせて加熱する際、内部に配置した袋を介して空気で加圧して成型するヘッドが開発されている（例えば特許文献２参照）。この最外層に配置されるチタンフィルムは、ガラス繊維スクリムクロスにエポキシ樹脂を含浸したプリプレグと貼り合わされ、炭素繊維織布強化樹脂の耐磨耗性、耐衝撃性および意匠性を向上させている。
【特許文献１】特開平８−１８７３０８号公報
【特許文献２】特開２０００−２２９１３５
【発明の開示】
【発明が解決しようとする課題】
【０００４】
しかし、ＦＲＰの外殻構造を有するヘッド本体の外周表面に金属膜層を形成したゴルフヘッドクラブは、ＦＲＰの外郭の表面に、単に層状に金属膜を被覆しただけであるため、この金属膜層が剥離し易い。また、金属膜層を単体で設けただけであるため、ヘッド本体の変形に対する強度の向上を図ることができない。
【０００５】
また、最外層にチタンフィルムを配置したゴルフクラブヘッドも、チタンエキスパンドメタルが層状に配置されるため、このチタンフィルムが剥離し易い。また、耐衝撃性および衝撃強度を向上させることは可能であるとしても、打球時のヘッド本体の変形に対する強度向上を図ることはできない。
【０００６】
このように、従来のゴルフクラブヘッドのいずれも、金属層を層状に積層したものであり、この金属層が剥離し易く、変形に対する強度向上を図ることはできず、したがって、繊維強化樹脂で形成したゴルフクラブヘッドの慣性モーメントの増大を図ると共に、強度向上を図ったゴルフクラブヘッドが望まれている。
【０００７】
本発明は、このような事情に基づいてなされたもので、外殻体の少なくとも一部を繊維強化樹脂で形成したヘッド本体を有するゴルフクラブヘッドの慣性モーメントの増大を図ると共に、強度向上を図ることのできるゴルフクラブヘッドを提供することを目的とする。
【課題を解決するための手段】
【０００８】
上記目的を達成するため、本発明によると、外殻体の少なくとも一部を繊維強化樹脂で形成したヘッド本体を有するゴルフクラブヘッドであって、前記外殻体の繊維強化樹脂で形成された部分は、金属被覆繊維を有する強化繊維に樹脂を含浸して形成された調整層を有し、この調整層の金属被覆繊維を外部から視認可能としたゴルフクラブヘッドが提供される。
【発明の効果】
【０００９】
本発明のゴルフクラブヘッドによると、外殻体の調整層が、金属被覆繊維を有する強化繊維に樹脂を含浸して形成されることにより、この金属被覆繊維がゴルフクラブヘッドの慣性モーメントを増大すると共に、繊維強度を向上し、更に、繊維間に含浸した樹脂により剥離し難く、しかも、金属被覆繊維が金属外観を呈することができ、設計あるいはデザイン上の自由度を増大することができる。
【発明を実施するための最良の形態】
【００１０】
図１から図７は、本発明の好ましい実施形態によるゴルフクラブヘッド１０を示す。  
図１から図３に示すように、このゴルフクラブヘッド１０は、チタン、チタン合金あるいはステンレス合金等の金属材から鋳造あるいは鍛造により中空の一体構造に形成されたヘッド本体１２を備える。このヘッド本体１２は、ボールを打球するフェース部１４からバック部１６を後方に突出させ、ヒール部１８側のクラウン部２０から、トウ部２２とは反対側の後方に傾斜させた状態でシャフト８を突出させる構造を備えている。また、フェース１４には、スコアライン１４ａの他にも、例えば石等の硬質の異物との衝突で僅かな凹み等が形成された場合であっても、このような凹みが目立たないように、微小な筋目状の溝あるいは突条を微小間隔で多数形成した粗面加工を施してもよい。符号２４は、ソール部を示す。なお、ヘッド本体１２は、このような一体構造に形成することに代え、各部を別部材で形成し、これらの複数の部材を互いに接合して形成してもよい。
【００１１】
シャフト８は、図３に明瞭に示すように、クラウン部２０からソール部２４までヒール部１８側からトウ部２２側にわずかに傾斜してヘッド本体１２内に一体形成された筒状のシャフト止着部２６で支えられている。このシャフト止着部２６に、ステンレス等の金属あるいは繊維強化樹脂で形成したシャフト８の先端を挿入して接着することにより、シャフト８をクラブヘッド１０に止着することができる。
【００１２】
このシャフト止着部２６とシャフトとの間には、シャフト止着部２６の中間位置から下方のソール部２４まで延びる合成樹脂又は金属製のスペーサ２８を介挿し、クラウン部２０に近接する部位には、シャフト８とシャフト止着部２６とで限定される間隙３０を形成してある。これにより、シャフト８は、打球時に、この間隙３０の寸法に対応した量だけシャフト止着部２６内で撓むことができ、シャフト８の有効長さを実質的に延長したと同じ効果を得ることができる。このようにシャフト８の長さが実質的に延長されることにより、後述する低重心化したヘッド本体１２と共に効率よく打球することができる。
【００１３】
このヘッド本体１２のクラウン部２０から突出するシャフト８の部分には、例えば比較的柔軟な樹脂材料で形成したソケット３２を装着してある。このソケット３２は、シャフト８の撓みを阻害することなく、シャフト８がヘッド本体１２に接触して損傷するのを防止すると共に、間隙３０内に異物が浸入するのを防止する。なお、図３には、シャフト止着部２６をソール部２４側で開口させた状態に示してあるが、このシャフト止着部２６あるいはシャフト８の端部を、適宜の閉塞部材を用いて閉じておくことが好ましい。また、シャフト止着部２６は、図３に示すようにその全長にわたってクラウン部２０からソール部２４まで連続した一体構造とすることは必ずしも必要なく、シャフト８をヘッド本体１２に確実に止着することができるものであれば、その一部のみをヘッド本体１２と一体構造に形成してもよい。また、このようなシャフト止着部２６をヘッド本体１２とは別部材で形成した後、ヘッド本体１２に一体化することも可能である。
【００１４】
図４に示すように、このように形成したヘッド本体１２は、そのクラウン部２０に大きな開口部３４を形成し、この開口部３４の全周部に、後述するプレート部材４０の周縁部を支える載置部３６がヘッド本体１２と一体構造に形成されている。この載置部３６は、フェース部１４およびシャフト止着部２６に沿いかつクラウン部２０の一部を形成する縁部３８との間に、プレート部材４０の厚さにほぼ等しい段差を形成し、プレート部材４０を載置したときに、このプレート部材４０と縁部３８との間に段部が形成されることなく、滑らかな連続した表面を形成する。
【００１５】
また、載置部３６は、図２および図３に示すように、縁部３８に隣接する部分を除き、ヘッド本体１２のヒール部１８側、バック部１６側およびトウ部２２側で、クラウン部２０とソール部２４との間に延在する周壁部から折り返した状態に連続し、したがってこれらの周壁部との間に段差は形成してない。この載置部３６により、クラウン部２０を大きく開口させても、ヘッド本体１２の充分な剛性を維持することができる。
【００１６】
このような載置部３６とフェース部１４との間に配置される縁部３８は、シャフト止着部２６の近部からトウ部２２側まで、フェース部１４の上縁部に沿ってほぼ等しい幅寸法に形成してあり、打球の際に、フェース部１４を確実に支える。一方、打球時にフェース部１４を支え、ボールから受ける力をヘッド本体１２からシャフト８に伝達することができるものであれば、縁部３８図示のような幅狭の帯状形状に形成することに代え、適宜の幅および形状に形成することができる。例えば、このような縁部３８を開口部３４の全周にわたって形成してもよい。
【００１７】
そして、縁部３８と共にクラウン部２０の外殻を形成するプレート部材４０は、載置部３６で支えられ、例えば接着剤で載置部３６に接着され、開口部３４を閉じる。このプレート部材４０を接着する場合は、収縮率が０．１以下、線膨張率が９０（ｃｍ／ｃｍ／℃）以下、硬さが７５（ショアーＤ）以上の接着剤を用いることが好ましい。収縮率がこのような小さいな接着剤を用いることで、プレート部材４０とヘッド本体１２との間の僅かな隙間に充填された接着剤が硬化する際に凹みを形成することを防止できる。また、線膨張率がこのように小さな接着剤を用いることにより、プレート部材４０とヘッド本体１２との間の接着剤層の体積変化に起因するプレート部材４０の高さの変化が抑制され、プレート部材４０とヘッド本体１２との間に段差を生じ難くすることができる。特に、プレート部材４０が後述するようにガラス繊維強化樹脂製の層を含む場合は、その線膨張率が大きいことから、その板厚方向すなわち厚みの変化が生じ易いため、接着剤の体積変化を少なくすることが有益である。そして、硬さが上述の値以上の接着剤を用いることにより、接着硬化後のプレート部材４０とヘッド本体１２との境界部の研磨工程で、硬さ不足に起因する境界部の削れによる凹みの発生を防止し、この境界部を滑らかに仕上げることができる。なお、接着剤の硬さは、硬度の大きいヘッド本体１２とこれよりも小さいプレート部材４０との間の大きさとすることにより、ゴルフクラブヘッド１０の表面を滑らかに仕上げやすくなる。
【００１８】
好ましい接着剤としては、ＩＴＷインダストリー株式会社から金属補修剤として市販されている「デブコンシリーズ」、特に「デブコンＦ」の商品名で市販されているものが好ましい。この商品は、収縮率０．０８％、線膨張係数５０ｘ１０−６（ｃｍ／ｃｍ／℃）、硬さ８５（ショアーＤ）である。
【００１９】
このプレート部材４０は、載置部３６の外縁部に沿う外形形状を有し、中央部を外周部よりも僅かに上方に突出させて全体的に湾曲した形状に、予め形成される。本実施形態では、プレート部材４０は、フェース部１４側に位置する直線状の前縁部４２と、この前縁部４２から角度をなしてバック部１６側に延び、ヒール部１８側に位置する短縁部４４と、この短縁部４４からバック部１６側を介してトウ部２２側まで大きく後方に湾曲して延びる湾曲縁部４６とを有する。このプレート部材４０を載置部３６に載置し、前縁部４２と短縁部４４とを縁部３８の対向する縁部に付き当てると、湾曲縁部４６は、ヘッド本体１２の側壁部と整合し（図２および図３参照）、バック部１６側およびトウ部２２側でクラウン部２０の外形形状を形成する。また、縁部３８とプレート部材４０とのそれぞれの表面が同一面内に配置される。これにより、クラウン部２０の全体が縁部３８とプレート部材４０とで滑らかな曲面状に形成される。
【００２０】
このようなプレート部材４０は、ヘッド本体１２の金属材よりも比強度の大きな繊維強化樹脂で積層構造に形成してあり、クラウン部２０を軽量化し、このゴルフクラブヘッド１０の低重心化を図っている。  
図５から図７に示すように、本実施形態のプレート部材４０は、複数の繊維強化樹脂製薄肉層４８ａ，４８ｂ，５０ａ，５０ｂを積層して形成した本体層５２を有する。これらの薄肉層４８ａ，４８ｂ，５０ａ，５０ｂは、強化繊維に合成樹脂を含浸させたプリプレグシートを積層し、加熱成形することで、形成される。このようなプリプレグシートは、強化繊維として繊維方向を一定方向に引き揃えた炭素繊維を用い、強化繊維に含浸する樹脂としては、例えばエポキシ樹脂、ポリエステル樹脂、フェノール樹脂等の熱硬化性樹脂を用いるのが好ましく、ポリアミド等の熱可塑性樹脂を混在させてもよい。
【００２１】
このようなプリプレグシートの繊維方向の相違に起因する熱硬化時の変形を防止するため、本実施形態の本体層５２は、本体層５２の厚さ方向の中央を通りかつ本体層５２と平行に延びる中央面Ｃを仮想したときに、この中央面Ｃに対し、外側と内側とで、各プリプレグシートの繊維方向が互いに対称的な方向に延在するように配置してある。具体的には、中央面Ｃを中心として、この中央面Ｃに近接する中央寄りの２つの薄肉層４８ａ，４８ｂの繊維方向を、フェース部１４の中心を通るトウ・ヒール方向の接線あるいは前縁部４２に対して、＋４５°に配置し、これに隣接する２つの薄肉層５０ａ，５０ｂを前縁部４２に対して−４５°に配置してある。すなわち、中央面Ｃを挟んで対応した位置の薄肉層４８ａ，４８ｂ、および、薄肉層５０ａ，５０ｂがそれぞれ強化繊維の配向方向を同じ方向に揃えて配置し、中央面Ｃよりも外層側で隣接する薄肉層４８ａ，５０ａの強化繊維は互いに直交する方向に配向してある。同様に、中央面Ｃの内層側でも、互いに隣接する薄肉層４８ｂ，５０ｂの強化繊維も互いに直交する方向に延びる。したがって、中央面Ｃを挟んで、この外層である２つの薄肉層４８ａ，５０ａと、内層である２つの薄肉層４８ｂ，５０ｂとのそれぞれの強化繊維が対称方向に配向される。
【００２２】
なお、繊維の配向方向は、上述とは逆に中央面Ｃに近接する薄肉層４８ａ，４８ｂの繊維方向を−４５°とし、これに隣接する薄肉層５０ａ，５０ｂの繊維方向を＋４５°としてもよい。また、繊維方向を上記のように＋４５°と−４５°とに配向することに代え、０°と９０°とに配向させる等、熱成形の際の変形を防止できるものであれば、他の角度の組合せを採用してもよい。
【００２３】
この本体層５２の外層側すなわちクラウン部２０の表面側には、金属被覆繊維を有する強化繊維に無色透明あるいは有色透明の透明性を有する樹脂を含浸して形成された調整層５４を配置してある。この調整層５４の外形は、本体層５２よりも僅かに小さく形成するのが好ましい。本体層５２の周縁部が調整層５４の周縁部よりも突出することにより、載置部３６に貼付けたプレート部材４０の周縁を研削して形状を整える際、僅かに外形を小さく形成された調整層５４までは達しない。これは、調整層５４が後述するように樹脂を含浸した織布シート５６で形成されるため、このような織布シート５６に含みやすいボイドが、織布シートを研削することで表面に表れて外観を損なうのを防止する。
【００２４】
図６および図７に拡大して示すように、調整層５４を形成する織布シート５６は、強化繊維として、経方向繊維束５６ａと緯方向繊維束５６ｂとをこれらの繊維束の巾ピッチで織り込んで形成した織布状に形成し、樹脂をこの強化繊維に含浸して形成してある。織布シート５６の強化繊維を繊維束の巾ピッチで織り込むことにより、成形時のずれがなく、規則正しい織り目模様を形成する。また、各繊維束が互いに直交する方向に配向されるため、線膨張率の差に基づく変形、すなわち繊維方向に応じて変形量が相違することで織布シート５６が成型時に変形するのを抑制する。なお、この織布シート５６を本体層５２に積層する際は、縦方向繊維束５６ａおよび緯方向繊維束５６ｂのそれぞれを、隣接する薄肉層５０ａの繊維方向と異なる方向に配向し、本体層５２の繊維が剥離するのを防止することが好ましい。ただし、剛性を重視する場合においては、隣接する薄肉層と同一方向に配向しても良い。
【００２５】
この織布シート５６の経方向繊維束５６ａと緯方向繊維束５６ｂとのそれぞれは、金属を被覆した繊維５８を複数本まとめ、厚さが幅よりも小さい帯状に形成してある。金属被覆繊維５８は、炭素繊維あるいはガラス繊維に、金属メッキあるいは金属を蒸着して形成することができる。この被覆金属は、ニッケルあるいはクロム等の繊維よりも比重の大きい金属を用いる。
【００２６】
強化繊維５８の一本ずつにメッキを施すと、含浸する樹脂がそれぞれの強化繊維間に回り込んで密着性が向上し、更に、繰返し変形しても剥離し難くなる。また、一本ずつにメッキを施した強化繊維５８を帯状の繊維束５６ａ，５６ｂに形成し、これらの繊維束５６ａ，５６ｂを織布状に織り込むことにより、強化繊維５８間の密着性が極めて高くなる。
【００２７】
この織布シート５６は、強化繊維５８が互いに直交する方向に配向されていることにより、加熱成型する際、特にこの織布シート５６の面に沿う変形を抑制することができ、熱変形の少ない本体層５２と共に、加熱成型時及び冷却時の変形を抑制し、所要の形状および寸法の高精度のプレート部材４０を形成することができる。
【００２８】
したがって、このゴルフクラブヘッド１０は、プレート部材４０をヘッド本体１２の金属製部分とは別部材として、しかも変形の少ない高精度の形状および寸法に形成し、ヘッド本体１２の高精度の金属製部分に形成される載置部３６に、このプレート部材４０を接着材等で固着することで、プレート部材４０を極めて高い強度で接合し、このヘッド本体１２の外殻の一部をプレート部材４０で形成することができる。また、プレート部材４０をヘッド本体１２に取付ける際、プレート部材４０の前縁部４２および短縁部４４をヘッド本体１２の縁部３８に沿わせることで簡単に位置決めすることができる。
【００２９】
そして、湾曲縁部４６がバック部１６側およびトウ部２２側でヘッド本体１２の側壁部に滑らかに移行することにより、剥離を生じさせる段差部を形成することなく、クラウン部２０の表面を滑らかな曲面状に形成する。このプレート部材４０の調整層５４は、本体層５２の強化繊維を外力による損傷から保護すると共に、最も外層側あるいは表層近くの調整層５４を形成する樹脂シート５６が、強化繊維５８に被覆した金属により、重量化するため、繊維強化樹脂製のプレート部材４０により軽量化を図りつつ、ゴルフクラブヘッド１０の慣性モーメントを増大することができる。しかも、被覆した金属により強化繊維の強度が向上すると共に、強化繊維に含浸させた樹脂は、繊維を確実に保持し、本体層５２から剥離し難くする。この樹脂が透明であることにより、金属色あるいは金属光沢を呈する強化繊維５８が、織目模様等の優れた金属外観を呈することにより、ゴルフクラブヘッド１０の設計あるいはデザイン上の自由度を増大することができる。更に、プレート部材４０が繊維強化樹脂であるため、軽量化による低重心化を図りつつ慣性モーメントを増大することができるため、クラウン部２０の剛性設計の自由度が高くなるため、フェース部１４の反発力や、ボールのスピン量、ボールの打出し角を従来以上に調整でき、ボールの飛距離を増大することができる。
【００３０】
なお、プレート部材４０の調整層５４を形成する織布シートは、上述の配置に限らず、様々に変形することができ、図８および図９は、このようなプレート部材の変形例を示す。図中、上述の部位と同様な部位にはこれと同様な符号を付し、その詳細な説明を省略する。
【００３１】
図８に示す織布シート５６Ａは、経方向および緯方向の各繊維束５６ａ，５６ｂを、金属で被覆した繊維５８と金属を被覆してない炭素繊維６０とを並べて形成してある。金属を被覆した繊維５８よりも、金属を被覆してない炭素繊維６０を多く配置することにより、炭素繊維６０が調整層５４の比強度を向上し、これにより、プレート部材４０を打球時に大きく湾曲化することができる。金属被覆は、炭素繊維に施してもよいが、ガラス繊維に施すことが好ましい。これは、ガラス繊維の方が比重が重く、慣性モーメントの増大に効果が大きいからである。また、ガラス繊維は透明であることから、ヘッド製造工程において切削されても、黒色の炭素繊維のように金属色が暗くなりにくい利点がある。
【００３２】
なお、経方向および緯方向の各繊維束５６ａ，５６ｂを同様に形成することに代え、一方に金属被覆繊維５８の繊維束を配置し、他方に金属を被覆してない例えば炭素繊維６０の繊維束を配置してもよい。また、同じ繊維束中にそれぞれ色彩の異なる金属で被覆した繊維を混在させてもよく、更に、経方向および緯方向の２方向だけでなく、斜め方向も加えた３方向以上の織目模様を形成することも可能である。
【００３３】
いずれの場合も、織布シート５６，５６Ａの外側に、ガラス繊維を例えば０°および９０°の２つの直交方向に配向して格子状あるいは織布状に形成した強化繊維に、樹脂を含浸したガラスプリプレグ（図示しない）を積層してこの本体層５２および織布シート５６，５６Ａと共に加熱成形して形成してもよい。このガラスプリプレグは、＋４５°と−４５°との２つの方向に配向した格子状あるいは織布状ものでもよい。また、このようなガラスプリプレグに代え、プレート部材４０の表面にクリア塗装を施してもよい。これにより、調整層５４の外観を長期間にわたって維持することができる。また、このガラスプリプレグ層やクリア塗装層を滑らかに研磨すると更に美しい外観を提供できる。
【００３４】
なお、本体層５２は、４つの薄肉層４８ａ，４８ｂ，５０ａ，５０ｂで形成することに代え、１つあるいは奇数の薄肉層から形成してもよく、この場合には、中央面Ｃは、本体層５２の厚さ方向の中央部を通る薄肉層内に形成される。また、各薄肉層の厚さを変更することも可能であるが、この場合も、中央面Ｃを中心として対称に形成することが好ましい。
【図面の簡単な説明】
【００３５】
【図１】本発明の好ましい実施形態によるゴルフクラブヘッドの斜視図。
【図２】図１のＩＩ−ＩＩ線方向に沿う断面図。
【図３】図２のＩＩＩ−ＩＩＩ線方向の沿う断面図。
【図４】図１のゴルフクラブヘッドの分解斜視図。
【図５】図４に示すプレート部材の積層構造を示す説明図。
【図６】図４に示すプレート部材の部分拡大図。
【図７】図４に示すプレート部材の拡大断面図。
【図８】変形例によるプレート部材の部分拡大図。
【図９】図８に示すプレート部材の拡大断面図。
【符号の説明】
【００３６】
１０…ゴルフクラブヘッド、１２…ヘッド本体、３４…開口部、４０…プレート部材、５２…本体層、５４…調整層、５６…織布シート、５８…金属被覆繊維。
【図１】
2005185577.tif 000003
【図２】
2005185577.tif 000004
【図３】
2005185577.tif 000005
【図４】
2005185577.tif 000006
【図５】
2005185577.tif 000007
【図６】
2005185577.tif 000008
【図７】
2005185577.tif 000009
【図８】
2005185577.tif 000010
【図９】
2005185577.tif 000011